(57)【要約】【課題】簡易な構成によりシートおよびシート吸着搬送ベルトのダメージを低減することができるシート搬送装置および画像形成装置を提供する。【解決手段】シート吸着搬送ベルト１２Ｃの表面の最上位シート２Ａの搬送方向の摩擦係数を、搬送方向と反対方向の摩擦係数より大きくした。また、シート吸着搬送ベルト１２Ｃの表面を鋸歯状に形成することにより、シート吸着搬送ベルト１２Ｃの表面の最上位シート２Ａの搬送方向の摩擦係数を、搬送方向と反対方向の摩擦係数より大きくした。【選択図】図３
2011148571.tif 000002
【特許請求の範囲】
【請求項１】
シート束を積載トレイ上に積載して収納するシート収納部と、
前記積載トレイに積載されたシート束を鉛直方向に昇降させるシート昇降手段と、
前記シート昇降手段により上昇された前記シート束に対し、シート搬送方向下流側から送風し、前記シート束の少なくとも前記最上位シートを含む上位部のシートを浮揚させてシート間を分離させるエアー送風部と、
前記エアー送風部により浮揚した最上位シートを吸着して搬送するシート吸着搬送ベルトと、
前記シート吸着搬送ベルトのシート搬送方向下流側に設けられ、前記シート吸着搬送ベルトにより搬送された最上位シートを更に搬送する下流側シート搬送手段と、
前記下流側シート搬送ベルトにより前記最上位シートを搬送しているときは、前記シート吸着搬送ベルトによる吸着動作を行ったまま搬送動作を停止する制御手段と、を備えたシート搬送装置であって、
前記シート吸着搬送ベルトの表面の前記最上位シートの搬送方向の摩擦係数を、前記搬送方向と反対方向の摩擦係数より大きくしたことを特徴とするシート搬送装置。
【請求項２】
前記シート吸着搬送ベルトの表面を鋸歯状に形成することにより、前記シート吸着搬送ベルトの表面の前記最上位シートの搬送方向の摩擦係数を、前記搬送方向と反対方向の摩擦係数より大きくしたことを特徴とする請求項１に記載のシート搬送装置。
【請求項３】
請求項１または請求項２に記載のシート搬送装置を備えることを特徴とする画像形成装置。
【請求項４】
前記画像形成装置が、デジタルコピー機であることを特徴とする請求項３に記載の画像形成装置。
【請求項５】
前記画像形成装置が、プリンタ装置であることを特徴とする請求項３に記載の画像形成装置。
【請求項６】
前記画像形成装置が、ファクシミリ装置であることを特徴とする請求項３に記載の画像形成装置。
【請求項７】
前記画像形成装置が、オフセット印刷機であることを特徴とする請求項３に記載の画像形成装置。
【発明の詳細な説明】
【技術分野】
【０００１】
本発明は、シート束からエアー吸引により最上位シートを分離して搬送するシート搬送装置および画像形成装置に関する。
【背景技術】
【０００２】
従来、デジタルコピー機、プリンタ装置、ファクシミリ装置、オフセット印刷機等の画像形成装置に搭載され、用紙などの記録媒体（以下、「シート」という）を給紙するためのシート搬送装置として、例えば、エアー吸引式のシート搬送装置が知られている。
【０００３】
エアー吸引式のシート搬送装置の一例を図９および図１０に示す。
【０００４】
図９に示すように、シート搬送装置１０１は、シート収納部１１１の上方にシート吸着搬送ベルト１１２Ｃを備えたシート吸着搬送手段１１２が設けられており、水平面である積載トレイ１１１Ａ上に積載された複数枚のシート（以下、「シート束」ともいう）１０２の鉛直方向の最も上部に位置するシート（以下、「最上位シート」という）１０２Ａを、エアー吸引部１１３によって１枚ずつシート吸着搬送ベルト１１２Ｃに吸着して所定の位置に搬送するように構成されている。
【０００５】
また、シート搬送方向の下流側（図の右側）には、送風部１１４が設けられ、シート束１０２の一端にエアーを送風することにより、最上位シート１０２Ａの近傍のシートを１枚ずつ分離する。一方、送風部１１４からの送風による影響を受けない上流側の端部には、位置検出センサ１１６が設けられている。位置検出センサ１１６は、位置検出部（例えば、デジタルセンサ）１１６Ａと、上面位置検出レバー１１６Ｂとを有している。
【０００６】
積載トレイ１１１Ａは、シート昇降駆動手段１１８に接続され、昇降運動可能である。積載トレイ１１１Ａとともにシート束１０２が上昇し、最上位シート１０２Ａが上面位置検出レバー１１６Ｂに接触し、上面位置検出レバー１１６Ｂが押し上げられる力を受けることにより、最上位シート１０２Ａの位置が検出されるように構成されている。
【０００７】
シート吸着搬送ベルト１１２Ｃの表面には、全域に多数の吸引孔（図示せず）が形成されている。エアー吸引部１１３からのエアー吸引により、吸引孔を介してシート吸着搬送ベルト１１２Ｃに最上位シート１０２Ａが吸着されるようになっている。
【０００８】
図１０を参照して、シート搬送装置１０１のシート搬送動作を説明する。
【０００９】
まず、シート昇降駆動手段１１８により、積載トレイ１１１Ａを昇降させ、シート束１０２の最上位シート１０２Ａの搬送方向上流側の端部が、位置検出センサ１１６により検出されたか否かの判断を行う。検出されない場合、すなわち、最上位シート１０２Ａが上面位置検出レバー１１６Ｂに接触していない場合、シート昇降駆動手段１１８は積載トレイ１１１Ａをさらに上昇させ、最上位シート１０２Ａが上面位置検出レバー１１６Ｂに接触した場合、シート昇降駆動手段１１８は積載トレイ１１１Ａを停止させる。
【００１０】
次に、送風部１１４により、シート束１０２にエアーを送風し、最上位シート１０２Ａを含む近傍のシートを１枚ずつ分離する。浮揚した最上位シート１０２Ａを、エアー吸引部１１３からのエアー吸引によりシート吸着搬送ベルト１１２Ｃに吸着させ、シート吸着搬送ベルト１１２Ｃを駆動装置１１７により回転させることにより、吸着された最上位シート１０２Ａを所定の位置まで搬送する。この動作を給紙タイミングに合わせて繰り返すことで、シートを連続して次々と所定位置まで搬送するようになっている。
【００１１】
このようなエアー吸引式のシート搬送装置１０１においては、最上位シート１０２Ａの搬送後にシート吸着搬送ベルト１１２Ｃが回転し続けると、狙いのタイミングでシート搬送をすることができないため、所定位置までシート吸着搬送ベルト１１２Ｃでシート搬送した後に、シート吸着搬送ベルト１１２Ｃの回転を停止する必要がある。
【００１２】
そこで、シート搬送装置１０１では、シート吸着搬送ベルト１１２Ｃの回転を停止させてもシート搬送することができるようにするために、シート吸着搬送ベルト１１２Ｃが最上位シート１０２Ａを搬送する所定位置の手前側（シート搬送方向下流側）に図示しないローラ対からなるシート搬送手段を別途設け、シート吸着搬送ベルト１１２Ｃを停止した後に、この別途設けたシート搬送手段によりシートを引っ張ることで、狙いのタイミングでシート搬送をすることができる。
【００１３】
ただし、この場合、エアー吸引部１１３からのエアー吸引によりシート吸着搬送ベルト１１２Ｃにシートが吸着された状態で、シート搬送方向下流側に別途設けたシート搬送手段がシートを引っ張ることになるので、シート吸着搬送ベルト１１２Ｃとシートとの間の摩擦力によりシート吸着搬送ベルト１１２Ｃおよびシートがダメージを受ける恐れ、すなわち、シート吸着搬送ベルト１１２Ｃが摩耗してしまったり、シートが損傷してしまう恐れがあった。
【００１４】
そこで、シートを吸着搬送する際に開放される開閉部材を所定量だけ閉じて、シートが搬送部材に吸着される直前に吸引力を低減させることにより、給紙ベルトおよびシートのダメージの低減および騒音の低減を図るようにした技術が知られている（例えば、特許文献１参照）。
【発明の概要】
【発明が解決しようとする課題】
【００１５】
しかしながら、特許文献１に記載された技術では、開閉部材の開閉機構を設けるために構造が複雑化してしまったり、吸引力の低減によりシート搬送力が低下してしまうという問題があった。
【００１６】
本発明はこのような問題を解決するためになされたもので、簡易な構成によりシートおよびシート吸着搬送ベルトのダメージを低減することができるシート搬送装置および画像形成装置を提供するものである。
【課題を解決するための手段】
【００１７】
本発明に係るシート搬送装置は、シート束を積載トレイ上に積載して収納するシート収納部と、前記積載トレイに積載されたシート束を鉛直方向に昇降させるシート昇降手段と、前記シート昇降手段により上昇された前記シート束に対し、シート搬送方向下流側から送風し、前記シート束の少なくとも前記最上位シートを含む上位部のシートを浮揚させてシート間を分離させるエアー送風部と、前記エアー送風部により浮揚した最上位シートを吸着して搬送するシート吸着搬送ベルトと、前記シート吸着搬送ベルトのシート搬送方向下流側に設けられ、前記シート吸着搬送ベルトにより搬送された最上位シートを更に搬送する下流側シート搬送手段と、前記下流側シート搬送手段により前記最上位シートを搬送しているときは、前記シート吸着搬送ベルトによる吸着動作を行ったまま搬送動作を停止する制御手段と、を備えたシート搬送装置であって、前記シート吸着搬送ベルトの表面の前記最上位シートの搬送方向の摩擦係数を、前記搬送方向と反対方向の摩擦係数より大きくしたことを特徴とする。
【００１８】
この構成により、下流側シート搬送ベルトにより最上位シートが搬送されるときに、最上位シートとシート吸着搬送ベルトとの間の摩擦が少なくなり、摩擦による最上位シートの損傷を防止できるとともに、シート吸着搬送ベルトの摩耗を低減することができる。また、従来のように、吸着力を低減するための機構を別途設ける必要がなく、吸着力を低減することによるシート搬送力の低下を招くこともない。
【００１９】
したがって、簡易な構成によりシートおよびシート吸着搬送ベルトのダメージを低減することができる。
【００２０】
また、本発明に係るシート搬送装置は、前記シート吸着搬送ベルトの表面を鋸歯状に形成することにより、前記シート吸着搬送ベルトの表面の前記最上位シートの搬送方向の摩擦係数を、前記搬送方向と反対方向の摩擦係数より大きくしたことを特徴とする。
【００２１】
この構成により、シート吸着搬送ベルトの柔軟性等に悪影響を与えることがない。
【００２２】
本発明に係る画像形成装置は、前記のシート搬送装置を備えることを特徴とする。
【００２３】
この構成により、シート搬送装置を備える画像形成装置において、簡易な構成によりシートおよびシート吸着搬送ベルトのダメージを低減することができる。
【００２４】
また、本発明に係る画像形成装置は、デジタルコピー機であることを特徴とする。
【００２５】
この構成により、デジタルコピー機としての画像形成装置において、簡易な構成によりシートおよびシート吸着搬送ベルトのダメージを低減することができる。
【００２６】
また、本発明に係る画像形成装置は、プリンタ装置であることを特徴とする。
【００２７】
この構成により、プリンタ装置としての画像形成装置において、簡易な構成によりシートおよびシート吸着搬送ベルトのダメージを低減することができる。
【００２８】
また、本発明に係る画像形成装置は、ファクシミリ装置であることを特徴とする。
【００２９】
この構成により、ファクシミリ装置としての画像形成装置において、簡易な構成によりシートおよびシート吸着搬送ベルトのダメージを低減することができる。
【００３０】
また、本発明に係る画像形成装置は、オフセット印刷機であることを特徴とする。
【００３１】
この構成により、オフセット印刷機としての画像形成装置において、簡易な構成によりシートおよびシート吸着搬送ベルトのダメージを低減することができる。
【発明の効果】
【００３２】
本発明によれば、簡易な構成によりシートおよびシート吸着搬送ベルトのダメージを低減することができるシート搬送装置および画像形成装置を提供することができる。
【図面の簡単な説明】
【００３３】
【図１】本発明の一実施の形態に係るシート搬送装置を備えた画像形成装置の概略構成図である。
【図２】本発明の一実施の形態に係るシート搬送装置の断面図である。
【図３】本発明の一実施の形態に係るシート搬送装置のシート搬送動作を説明する断面図である。
【図４】本発明の一実施の形態に係るシート搬送装置の図３の矢印Ｚ方向からの断面図である。
【図５】本発明の一実施の形態に係るシート搬送装置の制御手段を示すブロック図である。
【図６】本発明の一実施の形態に係るシート搬送装置のシート搬送動作を説明する拡大断面図であり、シート吸着搬送ベルトの回転時の状態を示す図である。
【図７】本発明の一実施の形態に係るシート搬送装置のシート搬送動作を説明する拡大断面図であり、シート吸着搬送ベルトの停止時の状態を示す図である。
【図８】本発明の一実施の形態に係るシート搬送装置のシート吸着搬送ベルトの表面の拡大断面図である。
【図９】従来のシート搬送装置の一例を示す概略断面図である。
【図１０】図９のシート搬送装置の動作を説明する図である。
【発明を実施するための最良の形態】
【００３４】
以下、本発明の実施の形態について、図面を参照して説明する。
【００３５】
まず、構成について説明する。
【００３６】
図１に示すように、画像形成装置５１は、電子写真方式のデジタルコピー機として構成されており、原稿を読取る原稿読取部５２と、シート搬送装置１から搬送される最上位シート（記録紙）２Ａに対し原稿読取部５２が読取った画像を形成する画像形成部５３と、シート束２から１枚の最上位シート２Ａを分離して画像形成部５３に搬送するシート搬送装置１とを備えている。
【００３７】
シート搬送装置１により搬送された最上位シート２Ａは、搬送ローラ対５８により移送され、画像形成部５３で形成されたトナー画像が転写装置５９により転写され、このトナー画像が定着器６０により熱転写され、排紙ローラ対６１により排紙トレイ６２に排出されるようになっている。
【００３８】
以下、図２〜図６を参照して、シート搬送装置１の詳細について説明する。
【００３９】
シート搬送装置１は、図２〜図４に示すように、シート収納部１１と、シート吸着搬送手段１２と、エアー吸引部１３と、エアー送風部１４と、駆動部１７と、シート昇降手段１８と、を備えている。また、シート搬送装置１は、図５に示すように、エアー吸引部１３と、エアー送風部１４と、駆動部１７と、シート昇降手段１８と、を制御する制御手段１９を備えている。
【００４０】
シート収納部１１は、水平面である積載トレイ１１Ａを有しており、積載トレイ１１Ａに積層された複数枚のシート束２を収納するようになっている。シート収納部１１には、制御手段１９に接続されたシート昇降手段１８が駆動連結されており、シート昇降手段１８が駆動することにより積載トレイ１１Ａが昇降し、シート収納部１１内のシート束２が昇降することができるように構成されている。シート昇降手段１８は、積載トレイ１１Ａを任意の量だけ上昇させることができるように、ステッピングモータや、エンコーダが付いたサーボモータを備えて構成されている。
【００４１】
シート吸着搬送手段１２は、制御手段１９に接続された駆動部１７に駆動連結されており、２つのローラ１２Ａ、１２Ｂを掛け渡すシート吸着搬送ベルト１２Ｃを備えている。シート吸着搬送ベルト１２Ｃには、図４に示すように、全体にわたって多数の吸引孔１２Ｄが形成されており、シート吸着搬送ベルト１２Ｃの内周になる空間には、吸引孔１２Ｄからエアーを吸引するためのエアー吸引部１３が設けられている。
【００４２】
エアー吸引部１３は、制御手段１９に接続されており、制御手段１９による制御によってエアーを吸引することにより、図３、図４に示すようにシート収納部１１に積層されたシート束２のうち、鉛直方向の最も上部に位置する最上位シート２Ａを、１枚ずつシート吸着搬送ベルト１２Ｃに吸着して分離するとともに、最上位シート２Ａを吸着した状態で駆動部１７が制御手段１９による制御により駆動されてシート吸着搬送ベルト１２Ｃが回転することにより、この最上位シート２Ａをシート搬送装置１から画像形成装置５１の内部に搬送するようになっている。
【００４３】
シート束２は、第１の辺２Ｂと第２の辺２Ｃとからなる一対の辺と、第３の辺２Ｄと第４の辺２Ｅ（図４）とからなる一対の辺とにより規定される長方形状をなしている。第３の辺２Ｄと第４の辺２Ｅは、それぞれシート吸着搬送手段１２の２つのローラ１２Ａ、１２Ｂを結ぶ方向となるように配置されており、第１の辺２Ｂは、図２において右端のシート搬送方向下流側に位置し、第２の辺２Ｃは、図２において左端のシート搬送方向の上流側に位置している。
【００４４】
エアー送風部１４は、図３に示すように最上位シート２Ａの第１の辺２Ｂの近傍の位置であって、第１の辺２Ｂに対向する位置に設けられており、制御手段１９に接続されている。エアー送風部１４は、シート束２に対してエアーを送風することにより、最上位シート２Ａおよび最上位シート２Ａの第１の辺２Ｂ付近のシートを浮揚させ、最上位シート２Ａを含む複数のシートを互いに分離するようになっている。
【００４５】
なお、本実施の形態では、第１の辺２Ｂに対向する位置のみにエアー送風部１４を配置しているが、エアー送風部１４を、第３の辺２Ｄ、第４の辺２Ｅの対向する位置に配置してもよい。また、制御手段１９には、シート束２の最上位シート２Ａの鉛直方向位置を検出する図示しない最上位シート位置検出手段が接続されおり、最上位シート２Ａの鉛直方向位置に基づいて、制御手段１９が、エアー吸引部１３による最上位シート２Ａの吸引に最適な鉛直方向位置にシート束２が上昇するようシート昇降手段１８を制御したり、シート吸着搬送ベルト１２Ｃを回転する駆動部１７を制御するようになっている。
【００４６】
図６に示すように、最上位シート２Ａは、シート吸着搬送ベルト１２Ｃに吸着後、シート吸着搬送ベルト１２Ｃを駆動させて最上位シート２Ａを搬送するが、最上位シート２Ａは搬送中にシート吸着搬送ベルト１２Ｃから矢印Ｆ１の向きに摩擦力を受ける。
【００４７】
図７に示すように、最上位シート２Ａが所定位置（最上位シート２Ａの先端が下流側シート搬送手段２１に挟まれる位置）まで搬送された後は、制御手段１９の指令によりシート吸着搬送ベルト１２Ｃの回転が停止し、下流側シート搬送手段２１の回転により最上位シート２Ａが搬送される。
【００４８】
このとき、最上位シート２Ａはシート吸着搬送ベルト１２Ｃから矢印Ｆ２の方向に摩擦力を受けるため、シート吸着搬送ベルト１１２Ｃと最上位シート２Ａとの間のこの摩擦力により、シート吸着搬送ベルト１１２Ｃが摩耗してしまったり、最上位シート２Ａが損傷してしまう恐れがある。すなわち、シート吸着搬送ベルト１１２Ｃおよび最上位シート２Ａがダメージを受ける恐れがある。
【００４９】
そこで、本実施の形態では、シート吸着搬送ベルト１２Ｃの表面上の形状を、図８に示すような鋸歯状に形成している。これにより、図６のようにシート吸着搬送ベルト１２Ｃが最上位シート２Ａを搬送するときは、シート吸着搬送ベルト１２Ｃと最上位シート２Ａとの間の摩擦係数および摩擦力が大きく、図７のようにシート吸着搬送ベルト１２Ｃから最上位シート２Ａが引き抜かれるときは、シート吸着搬送ベルト１２Ｃと最上位シート２Ａとの間の摩擦係数および摩擦力が小さくなるので、シート吸着搬送ベルト１２Ｃのシート搬送方向（図６のように最上位シート２Ａを搬送する方向にシート吸着搬送ベルト１２Ｃが回転するとき）の摩擦係数および摩擦力を低下させることなく、シート搬送方向に対向する方向の摩擦係数および摩擦力を減少することができる。
【００５０】
したがって、図６における矢印Ｆ１の向きの摩擦係数および摩擦力は、図７における矢印Ｆ２の向きの摩擦係数および摩擦力より大きくなるため、シート吸着搬送ベルト１２Ｃによる搬送力を確保したまま、最上位シート２Ａの引き抜き時の摩擦力（Ｆ２）を小さくすることができ、最上位シート２Ａおよびシート吸着搬送ベルト１２Ｃへのダメージを低減することができる。
【００５１】
なお、シート吸着搬送ベルト１２Ｃの表面の形状を鋸歯状にしても、シート吸着搬送ベルト１２Ｃの表面が従来のように平面であるときと同様に、シート吸着搬送ベルト１２Ｃがローラ１２Ａ、１２Ｂに沿って円弧状に変形することができ、シート吸着搬送ベルト１２Ｃの柔軟性を損なうことはない。
【００５２】
以上のように構成されたシート搬送装置１の動作を説明する。
【００５３】
シート搬送装置１においては、制御手段１９は、図６に示すように、吸引孔１２Ｄからエアーを吸引するとともにシート吸着搬送ベルト１２Ｃの回転を開始する。なお、図６では、吸引されたシートが既にシート吸着搬送ベルト１２Ｃに接触した状態となっている。
【００５４】
次いで、制御手段１９は、図７に示すように、最上位シート２Ａが下流側シート搬送手段２１に到達するとシート吸着搬送ベルト１２Ｃの回転を停止する。
【００５５】
次いで、制御手段１９は、吸引孔１２Ｄからのエアーの吸引を継続するとともに下流側シート搬送手段２１により最上位シート２Ａを搬送する。
【００５６】
図７の状態では、下流側シート搬送手段２１により最上位シート２Ａが搬送されるときに、最上位シート２Ａとシート吸着搬送ベルト１２Ｃとの間に摩擦が生じるが、シート吸着搬送ベルト１２Ｃの表面が鋸歯状に形成されているので、最上位シート２Ａとシート吸着搬送ベルト１２Ｃとの間の摩擦が少なくなり、摩擦による最上位シート２Ａの損傷を防止できるとともに、シート吸着搬送ベルト１２Ｃの摩耗を低減することができる。
【００５７】
なお、上記の実施の形態では、シート吸着搬送ベルト１２Ｃの表面の形状を鋸歯状とすることにより摩擦係数および摩擦力が異なるようにしているが、シート吸着搬送ベルト１２Ｃの表面に研磨を施す場合は、図６の状態と図７の状態との間で摩擦係数および摩擦力が異なるようにシート吸着搬送ベルト１２Ｃの表面の研磨目方向を設定したり、アザラシの皮のように、ある方向とそれに対向する方向の摩擦係数が違うシール材質をシート吸着搬送ベルト１２Ｃの表面に用いることにより、図６の状態と図７の状態との間で摩擦係数および摩擦力を異ならせるようにしてもよい。
【００５８】
また、画像形成装置５１は、電子写真方式のデジタルコピー機に限らず、例えばインクジェット方式等、他の方式のデジタルコピー機であってもよい。また、画像形成装置５１を、デジタルコピー機に限らず、プリンタ装置、ファクシミリ装置、またはオフセット印刷機として構成してもよい。
【００５９】
以上のように、本実施の形態に係るシート搬送装置１は、シート吸着搬送ベルト１２Ｃの表面の最上位シート２Ａの搬送方向の摩擦係数を、搬送方向と反対方向の摩擦係数より大きくしたことを特徴とする。
【００６０】
この構成により、下流側シート搬送手段２１により最上位シート２Ａが搬送されるときに、最上位シート２Ａとシート吸着搬送ベルト１２Ｃとの間の摩擦が少なくなり、摩擦による最上位シート２Ａの損傷を防止できるとともに、シート吸着搬送ベルト１２Ｃの摩耗を低減することができる。また、従来のように、吸着力を低減するための機構を別途設ける必要がなく、吸着力を低減することによるシート搬送力の低下を招くこともない。
【００６１】
したがって、簡易な構成により最上位シート２Ａおよびシート吸着搬送ベルト１２Ｃのダメージを低減することができる。
【００６２】
また、本実施の形態に係るシート搬送装置１は、シート吸着搬送ベルト１２Ｃの表面を鋸歯状に形成することにより、シート吸着搬送ベルト１２Ｃの表面の最上位シート２Ａの搬送方向の摩擦係数を、搬送方向と反対方向の摩擦係数より大きくしたことを特徴とする。
【００６３】
この構成により、シート吸着搬送ベルト１２Ｃの柔軟性等に悪影響を与えることがない。
【００６４】
また、本実施の形態に係る画像形成装置５１は、上記のシート搬送装置１を備えることを特徴とする。
【００６５】
この構成により、シート搬送装置１を備える画像形成装置５１において、簡易な構成により最上位シート２Ａおよびシート吸着搬送ベルト１２Ｃのダメージを低減することができる。
【００６６】
また、本実施の形態に係る画像形成装置５１は、デジタルコピー機であることを特徴とする。
【００６７】
このため、デジタルコピー機としての画像形成装置５１において、簡易な構成により最上位シート２Ａおよびシート吸着搬送ベルト１２Ｃのダメージを低減することができる。
【００６８】
また、本実施の形態に係る画像形成装置５１は、プリンタ装置であることを特徴とする。
【００６９】
このため、プリンタ装置としての画像形成装置５１において、簡易な構成により最上位シート２Ａおよびシート吸着搬送ベルト１２Ｃのダメージを低減することができる。
【００７０】
また、本実施の形態に係る画像形成装置５１は、ファクシミリ装置であることを特徴とする。
【００７１】
このため、ファクシミリ装置としての画像形成装置５１において、簡易な構成により最上位シート２Ａおよびシート吸着搬送ベルト１２Ｃのダメージを低減することができる。
【００７２】
また、本実施の形態に係る画像形成装置５１は、オフセット印刷機であることを特徴とする。
【００７３】
このため、オフセット印刷機としての画像形成装置５１において、簡易な構成により最上位シート２Ａおよびシート吸着搬送ベルト１２Ｃのダメージを低減することができる。
【産業上の利用可能性】
【００７４】
以上説明したように、本発明に係るシート搬送装置および画像形成装置は、簡易な構成によりシートおよびシート吸着搬送ベルトのダメージを低減することができるという効果を有し、シート束からエアー吸引により最上位シートを分離して搬送するシート搬送装置およびこのシート搬送装置を備える画像形成装置として有用である。
【符号の説明】
【００７５】
１  シート搬送装置
２  シート束
２Ａ  最上位シート
１１  シート収納部
１１Ａ  積載トレイ
１２  シート吸着搬送手段
１２Ａ、１２Ｂ  ローラ
１２Ｃ  シート吸着搬送ベルト
１２Ｄ  吸引孔
１３  エアー吸引部
１４  エアー送風部
１７  駆動部
１８  シート昇降手段
１９  制御手段
２１  下流側シート搬送手段
５１  画像形成装置
【先行技術文献】
【特許文献】
【００７６】
【特許文献１】特開平１１−７９４４１号公報
【図１】
2011148571.tif 000003
【図２】
2011148571.tif 000004
【図３】
2011148571.tif 000005
【図４】
2011148571.tif 000006
【図５】
2011148571.tif 000007
【図６】
2011148571.tif 000008
【図７】
2011148571.tif 000009
【図８】
2011148571.tif 000010
【図９】
2011148571.tif 000011
【図１０】
2011148571.tif 000012